(57)【要約】【課題】  感熱ロール紙の紙負荷を軽減し、感熱ロール紙のたるみが引き起こす紙送り不良や左右端面の折れ曲がりを低減したプリンタを提供する。【解決手段】  感熱ロール紙１０２交換用扉１１１の内側に設けた感熱ロール紙装着用のホルダ１２１と一体化した左右のロール紙支持部１１４が、感熱ロール紙１０２をクランプすることにより、印字開始時に感熱ロール紙１０２の巻きたるみを低減させ、回転負荷が低減する。さらに交換用扉１１１内側という視認の容易な部分に感熱ロール紙装着用のホルダ１２１を設けることで、感熱ロール紙１０２の交換作業性に優れる。【選択図】  図３
2005096433.tif 000002
【特許請求の範囲】
【請求項１】
ロール紙に印字するプリンタにおいて、ロール紙を交換するための扉の筐体側の面に、ロール紙を回転可能に支持するロール紙支持部を有するロール紙支持構造を有することを特徴とするプリンタ。
【請求項２】
請求項１記載のプリンタにおいて、
前記扉の筐体側の面に配設された２本のアーム部を備え、
前記ロール紙支持部が、前記アーム部の向かい合う面に設けられて前記ロール紙の軸孔両端に挿入し、前記扉面とロール紙とが接することなく該ロール紙を支持することを特徴とするプリンタ。
【請求項３】
請求項２記載のプリンタにおいて、
前記前記アーム部は、前記扉の筐体内側に回動可能に取り付けられ、
前記アーム部を、それぞれ閉腕方向に加重する弾性体部を備えることを特徴とするプリンタ。
【請求項４】
請求項２記載のプリンタにおいて、
前記アーム部を前記ロール紙の幅よりも広い間隔に保持するホルダ部を備え、
前記ロール紙支持部は、前記ロール紙の軸孔両端に挿入し、該ロール紙の回転のセンタリングをすることを特徴とするプリンタ。
【請求項５】
請求項２記載のプリンタにおいて、
前記アーム部は、前記扉を閉めた状態において、前記ホルダと筐体内部に設置されたストッパの間に安定して挟持されることを特徴とする請求項１に記載のプリンタ。
【請求項６】
請求項１記載のプリンタにおいて、
回転のセンタリングがされていない前記ロール紙と当接するよう筐体内部に配設したストッパを有することを特徴とするプリンタ。
【請求項７】
請求項１記載のプリンタにおいて、
前記ロール紙支持部は、前記扉を閉めた状態において、前記ロール紙のスラスト方向のセンタリングが成されている位置に設けられていることを特徴とするプリンタ。
【請求項８】
請求項１記載のプリンタにおいて、
前記ロール紙支持部は、前記ロール紙の回転中心線と平行な面で該ロール紙を支えることを特徴とするプリンタ。
【請求項９】
ロール紙に印字するプリンタにおいて、扉の筐体内側の面に回動可能に取り付けられた２本のアーム部と、
該アーム部をそれぞれ閉腕方向に力を加える弾性体と、
前記アーム部を前記ロール紙の幅よりも広い間隔に保持するホルダ部と、
前記アーム部の互いに向かい合う面に設けられ、前記ロール紙の軸孔を支持するロール紙支持部とを有することを特徴とするプリンタ。
【請求項１０】
請求項９記載のプリンタにおいて、
前記ロール紙支持部の先端部が、互いに向かい合う方向に突出する斜面形状を有し、前記アーム部側の形状は前記ロール紙の回転中心軸と同じ中心軸を有する円筒形面を有することを特徴とするプリンタ。
【請求項１１】
請求項９記載のプリンタにおいて、
前記扉に配設されたプラテンローラと、
前記扉に配設されると共に前記プラテンローラにより搬送された前記ロール紙を切断する固定刃と、
前記扉を閉じたときに前記プラテンローラに前記ロール紙を圧接するように筐体内部に設置されたサーマルヘッドと、
前記扉を閉じたときに前記固定刃と共に前記ロール紙を切断するように筐体内部に設置された可動刃とを有することを特徴とするプリンタ。
【請求項１２】
箱状の筐体と、該筐体の一面に開閉自在で開状態のときに内側面が上方を向くように設けられた扉とを備え、該扉を介してロール紙を内部に収納するロール紙収納容器であって、
前記扉の内側面には、前記ロール紙の軸孔の両開口側に位置するように、該内側面に直交する方向に延びた一対の板状部材が形成され、
前記一対の板状部材に、前記ロール紙の軸線方向に移動可能に設けられ、ロール紙の軸孔内に挿入されて該ロール紙を回転可能に支持する突起状のロール紙支持部と、
該ロール紙支持部を、前記一対の板状部材の内側に向けて付勢する付勢手段とを備え、
前記ロール紙支持部は、前記ロール紙を前記扉の内側面に接触させることなく支持することを特徴とするロール紙収納容器。
【請求項１３】
請求項１２記載のロール紙収納容器において、
前記ロール紙支持部は、前記ロール紙の軸線方向に延びた断面円状の外周面と、軸線方向に直交する面に対して傾斜した第１の傾斜面及び第２の傾斜面を有する端面とを備え、  
前記扉を開けたときに、前記第１の傾斜面が上方側に位置すると共に前記第２の傾斜面が下方側に位置するように形成されており、
前記第１の傾斜面は、前記ロール紙を装着する際に、ロール紙が前記外周面とで形成する稜線のみに接触しながら装着されるように凹んで形成されていることを特徴とするロール紙収納容器。
【請求項１４】
請求項１３記載のロール紙収納容器において、
前記第１の傾斜面は、円筒状の曲面を有するように凹んで形成されていることを特徴とするロール紙収納容器。
【請求項１５】
請求項１３又は１４記載のロール紙収納容器において、
前記第２の傾斜面は、前記ロール紙を脱着する際に、ロール紙が前記外周面とで形成する稜線のみに接触しながら脱着されるように形成されていることを特徴とするロール紙収納容器。
【請求項１６】
請求項１５記載のロール紙収納容器において、
前記第２の傾斜面は、円筒状の曲面を有するように形成されていることを特徴とするロール紙収納容器。
【請求項１７】
請求項１２から１６のいずれか１項に記載のロール紙収納容器と、
前記扉の内側面に設けられ、該扉を閉めたときに扉の先端と前記筐体との間に設けられた排出口から前記ロール紙を繰り出して外部に排出するプラテンローラと、
前記扉の内側面に設けられ、該扉を閉めたときに前記プラテンローラにより繰り出された前記ロール紙の下面側に配された固定刃と、
前記筐体内に設けられ、前記扉を閉めたときに前記プラテンローラに前記ロール紙を圧接させるサーマルヘッドと、
前記筐体内に設けられ、前記固定刃に当接するように移動可能とされ、移動したときに固定刃との間で前記ロール紙を挟み込んで切断する可動刃とを備えることを特徴とするプリンタ。
【発明の詳細な説明】
【技術分野】
【０００１】
本発明は、外食店舗（レストラン、居酒屋、ファーストフード等）等において、客からの注文内容を料理担当者に対し調理指示伝票として印字出力する調理指示伝票出力用のプリンタや、客への精算内容を会計伝票として印字出力する会計伝票出力等に用いられるプリンタに使用されるロール紙を収納するロール紙収納容器及び該ロール紙収納容器を有するプリンタに関する。
【背景技術】
【０００２】
従来から、レストラン、居酒屋あるいはホテル等では無線式注文データ管理装置が使用されている。無線式注文データ管理装置の一例を図７により概略説明すると、接客担当者が客から料理の注文を受けた場合、携帯している注文入力装置６０１に、テーブル番号等とともに注文を受けた各メニューを入力する。
【０００３】
この入力された注文データは、前記注文入力装置６０１から無線送信される。前記無線送信された注文データは、店舗内の各コーナー等に設置された無線制御装置６０３によって受信され、各種データの処理や一元管理等を行うデータ管理装置６０２に出力される。前記データ管理装置６０２では、前記注文データ及び該注文データを受信した時刻、接客担当者を識別する番号等の情報を記憶装置に記憶（データ管理装置６０２内部）する。
【０００４】
そして、厨房に設置されたレストランプリンタ６０４から調理指示用の伝票を印刷出力して、調理担当者に調理の指示を送る。また一方、客室近傍に設置された別なレストランプリンタ６０４から会計用伝票が印刷出力され、これは接客担当者により客に手渡される。
【０００５】
調理担当者は調理指示伝票に従って調理を開始し、調理完了するとその旨を接客担当者に通知する。これにより、接客担当者は注文を受けた客に調理を運んで配膳することになる。（例えば、非特許文献１参照。）
これらのレストランプリンタ６０４は、上記のように通信手段として無線を用いたものや有線を用いたものがあり、調理指示用の伝票を印刷出力する調理指示伝票用レストランプリンタも会計用伝票を印刷出力する会計伝票用レストランプリンタも、その構造は基本的に同じであり、印字内容が用途に応じて出力されるように印字内容を制御する電気的制御回路部分が相違するだけである。
【０００６】
以下に、無線方式のレストランプリンタを一例として説明する。
【０００７】
図６は、従来のレストランプリンタの内部構造を模式的に示す構造図である。この図に示すように、これらのレストランプリンタ４０は、通信手段として無線部４１９を装備し、印字部分はサーマルヘッド４０６を有するサーマルプリンタモジュール４３０を備えている。
【０００８】
このプリンタモジュール４３０は、以下に説明するように、ロール状の感熱ロール紙４０２をロール紙収納部４３１に収納する際に、交換用扉４１１を開くことにより、サーマルヘッド４０６に対するプラテンローラ４０７の押圧状態が開放されるプラテンローラー脱着方式の構造となっている。また、このサーマルプリンタモジュール４３０は、印字した部分を余分な余白無しに最適な長さに切断するオートカッタ４０４も装備している。
【０００９】
配置的には、ロール紙収納部４３１に収納された感熱ロール紙４０２の上部に印字用のサーマルヘッド４０６を有したサーマルプリンタモジュール４３０があり、そのサーマルプリンタモジュール４３０の紙排出口４０５の近傍に前記のオートカッタ４０４が取り付けられている。このオートカッタ４０４は、感熱ロール紙４０２の走行方向に対し垂直に切断するためのシャーリング式の可動刃４０８が、感熱ロール紙４０２の上方からほぼ垂直に降りてきて、感熱ロール紙４０２の下部に位置している固定刃４０９とかみ合わさることで切断する構造になっている。
【００１０】
印字して切断された感熱ロール紙４０２の紙排出口４０５と感熱ロール紙４０２の交換用扉４１１とは、レストランプリンタ４０の前面部に位置している構造となっており、この交換用扉４１１はレストランプリンタ本体の前面最下部のヒンジ部４１２を介して開閉可能に連結されている。この交換用扉４１１の内側には、印字時、サーマルヘッド４０６を押圧するプラテンローラ４０７と、印字した部分を余分な余白無しに最適な長さに切断するオートカッタ４０４の固定刃４０９とが取り付けられている。
そのため、感熱ロール紙４０２等の交換時、交換用扉４１１を開くと、感熱ロール紙４０２をサーマルヘッド４０６とプラテンローラ４０７とではさみこみながら印字していた状態から、サーマルヘッド４０６とプラテンローラ４０７とが分離した状態となり、前記印字したサーマル紙を最適な長さに切断するオートカッタ４０４のサーマル紙搬送経路が完全に開放されることになる。
【００１１】
これは、サーマルヘッド４０６を有したサーマルプリンタモジュール４３０が、レストランプリンタ本体側に取り付けられているサーマルヘッド４０６と交換用扉４１１側に取り付けられているプラテンローラ４０７とが分離し、同じようにレストランプリンタ本体側に取り付けられたオートカッタ４０４の可動刃４０８と交換用扉４１１側に取り付けられている固定刃４０９とが分離可能な構造となっている為である。
従って感熱ロール紙４０２の交換は、交換用扉４１１を開き感熱ロール紙４０２をレストランプリンタ本体側のサーマルヘッド４０６を有したサーマルプリンタモジュール４３０の下部に設けられたロール紙収納部４３１に感熱ロール紙４０２を落とし込むように挿入し、交換用扉４１１を閉じた時に紙排出口４０５から前記感熱ロール紙４０２の先頭部分が（感熱ロール紙の使いはじめ部分）十分に出る長さまで引き出して交換用扉４１１を閉じる。
【００１２】
この交換用扉４１１を閉じることによって、レストランプリンタ本体側に取り付いているサーマルヘッド４０６を交換用扉４１１に取り付いているプラテンローラ４０７が押圧し、印字可能な状態となる。同様に、レストランプリンタ本体側に取り付いているオートカッタ４０４の可動刃４０８と交換用扉４１１側に取り付いている固定刃４０９も通常のシャーリング方式のオートカッタの基本構造である可動刃と固定刃の位置関係が成り立ち、感熱ロール紙４０２を適宜の長さに切断することが可能な状態となる。
【００１３】
従って、印字する際、このプラテンローラ４０７が回転することにより感熱ロール紙４０２が搬送される。この感熱ロール紙４０２が紙排出口４０５方向に搬送されると、ロール状に巻かれた感熱ロール紙４０２は、ロール紙収納部４３１内で感熱ロール紙４０２の外周が滑るようにして回転する（例えば、特許文献１参照。）。
【非特許文献１】会田邦弘・浅川明著「オーダーシステムが外食産業を変える」泉文堂、１９９９年２月２０日、Ｐ１７
【特許文献１】特開２００１−２９３９２７号公報
【発明の開示】
【発明が解決しようとする課題】
【００１４】
従来のような感熱ロール紙交換時、交換用扉を開くことにより印字用サーマルヘッドとプラテンローラ、可動刃と固定刃がそれぞれ分離するレストランプリンタにおいて、感熱ロール紙の保持が特になく、ロール紙収納部のくぼみに置かれた感熱ロール紙がロールの外周で滑ることによって回転する構造では、印字時プリンタモジュール側から見た場合、感熱ロール紙の給紙つまり引き込み力に対し感熱ロール紙のロール外周部とレストランプリンタ本体側の感熱ロール紙設置部（ロール紙収納部）のくぼみの部分との摩擦による負荷が大きく、その分プラテンローラを回転駆動させるモーターもより強力なトルクが必要になる。
【００１５】
多くの場合、その対策として、感熱ロール紙のロール外周部とレストランプリンタ本体側の感熱ロール紙設置部（ロール紙収納部）のくぼみの部分の接触する部分に摩擦負荷軽減のために回転ローラーを設ける場合もある。しかしながらこの方法では、滑らかに回転するローラーという構成部品が増えるうえに、このローラー上を感熱ロール紙が回転した場合、ロール自体の巻きたるみが発生する。
【００１６】
この巻きたるみが発生した場合、ロール状に巻かれた感熱ロール紙は、自重でレストランプリンタ本体側の感熱ロール紙設置部（ロール紙収納部）のくぼみの部分に下面で接触しているため、たるみは感熱ロール紙の上方にたるんでいく傾向にある。
【００１７】
本発明に係るレストランプリンタは、厨房や接客者控え室といった比較的狭い場所に設置されるものであり、しかも設置スペースは極力少なくなるように設置したいとの店舗ニーズがある。そのために、設置スペースが小さい図５中のＡ面側を底面とした縦長の姿勢で設置可能な構造とし、しかも、感熱ロール紙の交換も容易なように操作性を考慮して、図５中のＤ面側に感熱ロール紙交換用の扉を設けているものである。
【００１８】
例えば、コンビニエンスストアやスーパーマーケットで使用されているＰＯＳレジシステムでは、同様のサーマルプリンタがＰＯＳレジシステムに組み込まれて使用されているが、このサーマルプリンタは操作性及び設置の容易性を考慮して、図５中のＢ面側が下方になるように設置され、感熱ロール紙交換用の扉、即ちＤ面側が上方になるように設けられている。
【００１９】
このように本発明に係るレストランプリンタと上記のようなＰＯＳレジシステムに組み込まれて使用されているサーマルプリンタとは、一見、設置する姿勢のみが異なるように見えがちであるが、設置する姿勢が異なることにより、内部に収納する感熱ロール紙の収納状態が異なって、それに起因する以下に説明するような課題がある。
【００２０】
ＰＯＳレジシステムに組み込まれて使用されているサーマルプリンタに見られるような、感熱ロール紙の交換時に扉を上方向へ開く構造では、収納した感熱ロール紙のたるみが上に発生しても十分に空間的に十分な余裕があり、また感熱ロール紙と印字用プリンタモジュールの位置関係も横方向へ並列して設置できることもあり、感熱ロール紙を搬送する角度も垂直方向より小さくできる。
【００２１】
これは、下面が接触している感熱ロール紙を引っ張ったとき多少でも横方向の力が働くため、プリンタモジュールのプラテンローラが給紙するための負荷が軽減される。また、角度的に感熱ロール紙の引っ張りを受ける部分が垂直より上方向に広がっているため、たるみも規制を受けることなく上方向に扇形に広がることができる。また、たるみの最も大きい感熱ロール紙の上方頂点部分にプリンタモジュールの給紙ガイドがないためたるんだ部分を引き込むこともない。
【００２２】
本発明に係るレストランプリンタのような構造では、前述したように感熱ロール紙の上部に印字ヘッドを有したプリンタモジュールがあり、そのプリンタモジュールの紙排出口の近傍にオートカッタが取り付けられている。このオートカッタは、感熱ロール紙の搬送方向に対し垂直に切断するためのシャーリング式の可動刃が、感熱ロール紙の上方からほぼ垂直に降りてきて、感熱ロール紙の下部に位置している固定刃とかみ合わさることで切断する構造になっている。
【００２３】
印字して切断された紙の排出口と感熱ロール紙の交換用扉は、レストランプリンタの前面（図５中、Ｄ面側）に位置している構造となっており、この交換用扉はレストランプリンタ本体のＤ面最下部のヒンジ部を介して開閉可能に連結されている縦方配置であるため、プリンタモジュールが、感熱ロール紙を紙送りしたとき、垂直方向より交換用扉（Ｄ面）側へ引っ張るため、感熱ロール紙を交換用扉（Ｄ面）側へ引き寄せる力が加わる。
【００２４】
これにより感熱ロール紙のたるみの空間が縮小され、許容できるたるみ量に限度ができる。限度を超えたたるみ量になると、そのたるんだ感熱ロール紙は自由が効かなくなり、感熱ロール紙の前方上部（交換用扉側）とプリンタモジュールから引っ張られている感熱ロール紙の部分に挟まれ最終的にプリンタモジュールの給紙口に入り込み、感熱ロール紙の片側から引っ張ることによって回転して給紙を行っていた状態が、感熱ロール紙を両方から引っ張る形となり、回転できなくなる。
【００２５】
またプリンタモジュールは、回転できない感熱ロール紙を更に給紙口から引っ張り込もうとするが、給紙口に感熱ロール紙のロール自体が入ることは不可能なため、引き込み力に対する負荷がプラテンローラを駆動するモーターのトルクより大きくなり、完全にロックしてしまう。
【００２６】
このメカニズムの回避策として、感熱ロール紙のたるみを十分許容できるだけの空間を設けることが可能ならばそれでも問題は無いのだが、たるみは、感熱ロール紙の給紙負荷の軽減策として用いるような前述の回転ローラを使用した場合のみでなく、ユーザーが感熱ロール紙を交換する際、たるみが生じた感熱ロール紙をそのままの状態でロール紙収納部にセットするという可能性もあり、たるみ量としては制御するのは不可能である。
【００２７】
しかも、レストランプリンタは、設置スペースの減少化を達成するための商品開発として小型化は必要条件であるため、たるみ量を許容できる空間の増加は、この場合得策ではない。また、このたるみにより感熱ロール紙の左右方向を規制している感熱ロール紙設置部分（ロール紙収納部）の横壁による効果も無くなり、印字、切断し排出された感熱ロール紙（伝票等）の片側のみ感熱ロール紙の端面部分がつぶれてしまう。
【００２８】
これは、たるんだ状態の感熱ロール紙は、１枚から数枚の部分で、無理に横方向のずれを規制しようという力が働き、感熱紙のこしが耐え切れなくており曲がったためである。このように店舗内での使用中、特に繁忙期に感熱ロール紙を交換することになった場合、確実にたるみなく感熱ロール紙をセットするのは不可能であり、そのたるみが原因で印字した顧客へ提出する伝票の端が折れ曲がる場合があり、品質的にも不十分である。また、感熱ロール紙をロール紙収納部内のくぼみに感熱ロール紙の左右両端面を規制するように収納し、ロール外周面を接触させ回転させるような構造では、感熱ロール紙のセット時にたるみを作ってしまうと次の交換時まで無くならないといった状況となる。
【００２９】
そこで本発明は、感熱ロール紙等のロール紙のロール外周面を接触させて回転させる構造ではなく、ロール紙の紙芯部分をプリンタに回転可能に固定された左右のアームの凸型形状で挟みこむことにより保持すると共に、その保持構造物を交換用扉側に備えることにより、安定した紙送り、ロール紙の交換性、装置の小型化が可能なロール紙収納容器及び該ロール紙収納容器を利用したプリンタを提供する。
【課題を解決するための手段】
【００３０】
上記課題を解決するために、本発明に係るプリンタは、まず、ロール紙支持部を交換用扉の内側に設け、ロール紙交換の際、視覚的に容易に見え、前記作業上手前で作業でき、誤操作する要因を減らした。
【００３１】
つまり、交換用扉の内側に強度十分なアームとロール紙の紙芯部分を挟み込む凸型形状をした左右のアーム部が、それぞれ１本づつの回転シャフトで交換用扉のフレームに固定されており、しかも回転可能な構造とした。さらに左右に取り付けたアーム部は、ロール紙の紙芯部分を挟み込む部分は、凸型形状をしており、その凸型形状はお互いに内側を向いていて、ロール紙の紙芯にその部分が入り込むことにより、回転シャフトと同じ機能になる。
【００３２】
また、前記左右のアーム部は、固定している交換用扉のフレームとの間でばね（弾性体部）により、常にお互いに内側に加圧されていて、ロール紙を装着する際、一旦広げられるが、ロール紙の紙芯の穴（軸孔）がアーム部のロール紙支持部近傍にくると、左右のアーム部は、内側に閉じる力(閉腕方向)が働いているため、アーム部のロール紙支持部がロール紙の紙芯の穴に入り込み、センタリングが可能になる。  
【００３３】
また、左右のアーム部の周りには、ロール紙が装着されたとき、４方を囲む箱形のホルダ部が交換用扉内側に備えられ、前記交換用扉を９０°以上開いたとき、上方向のみ開放されている。そのためロール紙の装着方向が規制され、ホルダの内側の左右の側面から内側へそれぞれ飛び出しているアーム部の凸型形状を押し広げるのに無理な力が加わることなくスムーズに、ロール紙の装着が可能になる。
【００３４】
さらに、このホルダ部の内側は、ロール紙の外形にほぼあった半円弧形状になっているため、新品のロール紙を装着した場合は、ほぼ上からホルダに落とし込むだけでセンタリングが可能である。ロール紙を装着する際は、そのロール紙の紙芯に入り込む左右のロール紙支持部のあるアーム部は、常に内側へ加圧しているばね力だけでロール紙の回転シャフトの変わりになっているが、交換用扉を閉じて実際に印字をするときは、プリンタ本体側により前記アーム部の移動量を規制することにより、それぞれ外側に開くことはなくなり、ロール紙支持部から、ロール紙が外れることはなく、完全な回転シャフトとしての状態になり安定する構造とした。
【００３５】
また、ロール紙交換の際、装着不十分で、完全にロール紙の紙芯にアーム部のロール紙支持部が入り込んでいない場合、交換用扉を閉じようとしても、プリンタ本体側に設けたストッパにより閉じない構造とした。
【発明の効果】
【００３６】
本発明に係るロール紙収納容器及びプリンタによれば、ロール紙のセット時に起こりうるロールたるみによるロール紙の搬送不良・印字伝票の左右端面の折れ曲がりを防止するだけではなく、印字時のロール紙の回転負荷が削減でき、それによりプラテンローラ駆動に必要なモータートルクに十分な余裕ができた。これは、印字位置の安定化につながり、モーターの消費電力の軽減にもなるという効果がある。また、ロール紙の紙芯を保持することで、ロール紙のロール外周面に接触することがなく、感熱面の損傷対策にもなるという効果がある。
【発明を実施するための最良の形態】
【００３７】
本発明の実施の形態について、図１から図５を参照して以下に説明する。
【００３８】
図２は、本発明に係るレストランプリンタ（プリンタ）の断面図であり、図３は、その斜視図である。本レストランプリンタは、レストラン、居酒屋、ホテルあるいはファーストフード等で用いられ、注文データ管理装置の一部を構成する装置の中のデータ出力装置であり、
まず、この注文データ管理装置の全体構成、及びその使用例について図１にて概略説明する。なお、図１において、図７と同一の構成については、同一の符号を付している。
【００３９】
無線方式の注文データ管理装置を一例として取り上げ、その使用例を説明する。なお、本発明のレストランプリンタは、無線方式のものに限定されるものではなく、有線方式のものであっても適用可能である。
【００４０】
接客担当者が客から料理の注文を受けた場合、携帯している注文入力装置６０１に、テーブル番号等とともに注文を受けた各メニューを入力する。この入力された注文データは、前記注文入力装置６０１から無線送信される。前記無線送信された注文データは、店舗内の各コーナー等に設置された制御装置６０３によって受信され、各種データの処理や一元管理等を行うデータ管理装置６０２に送られ、表示される。前記データ管理装置６０２では、前記注文データ及び該注文データを受信した時刻、接客担当者を識別する番号等の情報を記憶装置（上記データ管理装置６０２内部）に記憶する。
【００４１】
そして、厨房に設置されたレストランプリンタ（プリンタ）１０１から調理指示用の伝票を印刷出力して、調理担当者に調理の指示を送る。また、会計用伝票が別の異なるレストランプリンタから印刷出力され、これは接客担当者により客に手渡される。
【００４２】
調理担当者は、調理指示伝票に従って調理を開始し、調理完了するとその旨を接客担当者に通知する。これにより、接客担当者は注文を受けた客に調理を運んで配膳することになる。なお、説明した無線方式の他に、電磁誘導コイルを用いて注文データの送受信を行う電磁誘導方式の注文入力装置６０１もある。
【００４３】
以上のようにして用いられるレストランプリンタ１０１は、前記データ管理装置６０２での、前記注文データ及び該注文データを受信した時刻、接客担当者を識別する番号等の情報を記憶した記憶装置から送られた情報を無線により受け取り、前記記憶装置からの指示に従って、調理指示用に伝票を出力する。また、客室近傍に設置されたレストランプリンタ１０１には、顧客に渡す会計用伝票を出力する。
【００４４】
このレストランプリンタ１０１は、図１に示すように、箱状の筐体５００と、該筐体５００の一面（前面）に開閉自在で開状態のときに内側面１１１ａが上方を向くように設けられた交換用扉（扉）１１１とを有し、該交換用扉１１１を介して感熱ロール紙（ロール紙）１０２を内部に収納するロール紙収納容器５０１と、交換用扉１１１の内側面１１１ａに設けられ、該交換用扉１１１を閉めたときに交換用扉１１１の先端と筐体５００との間に設けられら伝票排出口（排出口）１０５から感熱ロール紙１０２を繰り出して外部に排出するプラテンローラ１０７と、上記交換用扉１１１の内側面１１１ａに設けられ、該交換用扉１１１を閉めたときに上記プラテンローラ１０７により繰り出された感熱ロール紙１０２の下面側に配された固定刃１０９と、上記筐体５００内に設けられて上記交換用扉１１１を閉めたときにプラテンローラ１０７に感熱ロール紙１０２を圧接させるサーマルヘッド１０６と、筐体５００内に設けられて上記固定刃１０９に当接するように移動可能とされ、移動したときに固定刃１０９との間で感熱ロール紙１０２を挟み込んで切断する可動刃１０８とを備えている。      
【００４５】
また、レストランプリンタ１０１は、図１に示すように、上記データ管理装置６０２内部の記憶装置からの情報をアンテナ１１９で受け、制御基板１２０で処理し、印字は、プリンタモジュール１０３に、切断はオートカッタ１０４にそれぞれ指示を送る。従ってそれぞれ用途の異なる伝票出力であるが、基本は同じサーマル印字で、ロール状に巻かれた使用前の上記感熱ロール紙１０２をレストランプリンタ１０１の内部、即ち、ロール紙収納容器５０１内に格納でき、その上部に印字用のプリンタモジュール１０３を配置し、伝票内容を印字した感熱ロール紙１０２を伝票の形にするために切断するオートカッタ１０４が前記プリンタモジュール１０３の伝票排出口１０５側に設けられている。
【００４６】
オートカッタ１０４で切断した伝票は、レストランプリンタ１０１の伝票排出口１０５から排出（出力）される。またこのプリンタモジュール１０３は、サーマルヘッド１０６と印字時感熱ロール紙１０２を挟みこみ押さえつける働きをするプラテンローラ１０７とが分離可能な構造のものであり、同じようにこのオートカッタ１０４も可動可能な可動刃１０８と固定刃１０９とが分離可能な構造のものである。
【００４７】
このオートカッタ１０４は、感熱ロール紙１０２の伝票排出口１０５近傍の走行方向に対し垂直に切断するためのシャーリング式の可動刃１０８が、印字された感熱ロール紙１１０の上方からほぼ垂直に降りてきて、印字された感熱ロール紙１１０の下部に位置している固定刃１０９とかみ合わさることで切断する構造になっている。
【００４８】
印字して切断された紙の排出口（本レストランプリンタ１０１の伝票排出口１０５）と、感熱ロール紙１０２の交換を行うために開閉自在に設けられた交換用扉１１１とは、レストランプリンタ１０１の前面に位置している構造となっており、交換用扉１１１は、レストランプリンタ１０１の前面最下部のヒンジ部１１２を介して開閉可能に連結されている。
【００４９】
この交換用扉１１１の内側（内側面１１１ａ）には、印字時、サーマルヘッド１０６に感熱ロール紙１０２を押さえつけているプラテンローラ１０７と印字した部分を余分な余白無しに最適な長さに切断するオートカッタ１０４の固定刃１０９とが取り付けられている。
【００５０】
そのため感熱ロール紙１０２等の交換時、レストランプリンタ１０１の下部に位置するヒンジ部１１２を支点として回転することにより、交換用扉１１１を開くと感熱ロール紙１０２をサーマルヘッド１０６とプラテンローラ１０７とではさみこみながら印字し、前記印字したサーマル紙を最適な長さに切断するオートカッタ１０４のサーマル紙搬送経路が完全に開放されることになる。
【００５１】
これは、前記のようにサーマルヘッド１０６を有したプリンタモジュール１０３が、レストランプリンタ１０１側に取り付けられているサーマルヘッド１０６と交換用扉１１１側に取り付けられているプラテンローラ１０７とに分離し、同じようにレストランプリンタ１０１側に取り付けられたオートカッタ１０４の可動刃１０８と交換用扉１１１側に取り付けられている固定刃１０９とが分離可能な構造である為である。
【００５２】
また、図３及び図４に示すように、上記交換用扉１１１の内側面１１１ａには、感熱ロール紙１０２の軸孔１１３ａ、紙芯１１３の軸孔１１３ａの両開口側に位置するように、該内側面１１１ａの直交する方向に延びた一対のホルダ（板状部材）１２１が形成されている。
【００５３】
更に、ロール紙収納容器５００は、この一対のホルダ１２１に、感熱ロール紙１０２の軸線Ｌ方向に移動可能に設けられ、感熱ロール紙１０２の軸孔１１３ａ内に挿入されて該感熱ロール紙１０２を回転可能に支持する突起状のロール紙支持部１１４と、該ロール紙支持部１１４を一対のホルダ１２１の内側に向けて付勢する付勢手段５０２とを備えている。そして、ロール紙支持部１１４は、ロール紙１０２を交換用扉１１１の内側面１１１ａに接触させることなく支持するようになっている。
【００５４】
また、本実施形態においては、上記ホルダ１２１に、基端側を中心として開閉可能で閉状態のときにホルダ１２１の外側面１２１ａから突出しないように設けられた板状のアーム（アーム部）１１５を有している。そして、上記ロール支持部１１４は、このアーム１１５の先端に設けられている。また、このアーム１１５は、バネ１１８によって常に閉腕方向に付勢されている。即ち、これらアーム１１５及びバネ１１８は、上記付勢手段１１４として機能するようになっている。              
【００５５】
つまり、感熱ロール紙１０２の紙芯１１３を保持する軸は、感熱ロール紙１０２を回転させるための完全な一本の軸ではなく、前記感熱ロール紙１０２の紙芯１１３の両端をそれぞれ保持する左右に分離したロール紙支持部１１４を有する左右２本のアーム１１５構造になっている。
【００５６】
図４にこの部分の前側から見た断面構成を示す。このアーム１１５は、感熱ロール紙１０２の幅方向つまり、レストランプリンタ１０１を前から見たとき、左右に位置するよう配置され、交換用扉１１１の内側（内側面１１１ａに設けられた）のフレーム１１７にそれぞれシャフト１１６により回転可能に固定されており、それぞれにばね１１８を備え、常に内側（レストランプリンタ１０１を前から見たとき中央）へ加圧されている。
【００５７】
また、これらアーム１１５の詳細形状は、図４も参照願いたい。これら左右のアーム１１５の先端に設けられたロール紙支持部１１４は、お互いに内側へ突き出ていて、感熱ロール紙１０２が装着されてないときは、そのロール紙支持部１１４の先端の左右の距離は、感熱ロール紙１０２の幅より小さく設定されている。
【００５８】
また、これら左右のアーム１１５の周りには、交換用扉１１１を９０°近く開いた状態で上方向１２２（図２において紙面に対して上方向）しか開放されてない、感熱ロール紙１０２を４方囲んだ箱型形状の樹脂製の上記ホルダ１２１を備えており、この状態での感熱ロール紙１０２の装着方向性を規制可能にした。
【００５９】
また、このホルダ１２１内側は、感熱ロール紙１０２の円弧に沿った形状となっており、感熱ロール紙１０２装着の際、交換用扉１１１を９０°近く開くと、感熱ロール紙１０２の方向性に戸惑うことなく、上から下へ向かって前記ホルダ１２１に確実に入れることが可能。
【００６０】
さらに前記ホルダ１２１の内側で感熱ロール紙１０２を装着した場合の幅方向の左右の両側面には、それぞれ前記アーム１１５のロール紙支持部１１４が内側向きに突き出ており、その左右のロール紙支持部１１４の間の距離は、感熱ロール紙１０２の幅より小さくなっており、感熱ロール紙１０２を前記樹脂製のホルダ１２１に装着する際、一旦感熱ロール紙１０２の幅まで前記ロール紙支持部１１４を有したアーム１１５がばね１１８の力に反発しながら押し広げられ、前記感熱ロール紙１０２の紙芯１１３の穴（軸孔１１３ａ）が通過すると同時に、その穴（軸孔１１３ａ）にロール紙支持部１１４が入り込み感熱ロール紙１０２の紙芯１１３の部分を左右のアーム１１５で挟みこんだ形になる。
【００６１】
紙芯１１３の穴（軸孔１１３ａ）に入り込んだロール紙支持部１１４そのものは、感熱ロール紙１０２の紙芯１１３の両端左右しか荷重的に受けていないが、軸が一本紙芯の中を貫通していることと同じになる。
【００６２】
したがって、感熱ロール紙１０２が通常使用されるときは、回転するわけだが、その回転中心が紙芯１１３を貫通した一本の軸にみたてた、左右のアーム１１５に形成したロール紙支持部１１４となる。
【００６３】
回転中心が、感熱ロール紙１０２の中心の穴であることから、回転の負荷が非常に小さくなる。また、ロール紙支持部１１４は、感熱ロール紙１０２を装着するための方向が上から下へ向かっているのに対し、アーム１１５が広がる方向は、アーム１１５が交換用扉１１１のフレーム１１７にシャフト１１６で取り付けられていて、そのシャフト１１６を中心に回転するが、その方向は感熱ロール紙１０２の幅方向に左右それぞれのアーム１１５が広がる方向に可動する。
【００６４】
通常、左右のアーム１１５に形成されたロール紙支持部１１４は、アーム１１５そのものが、交換用扉１１１のフレーム１１７と回転可能にシャフト１１６で固定されている部分において、ばね１１８で内側に加圧されているため感熱ロール紙１０２の幅より小さくなっている。
【００６５】
そこに感熱ロール紙１０２をひっかかりなく入れるために、ロール紙支持部１１４に傾斜がついており、図４に示すように、感熱ロール紙１０２の入れはじめは、傾斜の始まり部分１２３でロール紙支持部１１４の頂点１２４にいくにつれて感熱ロール紙１０２の幅より狭くなっている。
【００６６】
したがって、感熱ロール紙１０２が下にいくほど、よりアーム１１５を押し広げて、ちょうど感熱ロール紙１０２の紙芯１１３の穴（軸孔１１３ａ）がロール紙支持部１１４の位置を通過すると同時に、ばね１１８でお互いに内側へ加圧されているアーム１１５は、内側へ動き、ロール紙支持部１１４が、感熱ロール紙１０２の紙芯１１３の穴（軸孔１１３ａ）に入り込む（挿入する）。
【００６７】
このように、ばね１１８で加圧され内側へそれぞれ寄せられているアーム１１５のロール紙支持部１１４の距離に対し、その距離より大きな幅の感熱ロール紙１０２を入れるという単一動作により、ひっかかりなく、押し広げるために、ロール紙支持部１１４に傾斜がついており、感熱ロール紙１０２の装着時の状態である、交換用扉１１１を約９０°開いた状態でのロール紙支持部１１４の上側は、前記のように傾斜がついており、左右のアーム１１５に形成されたロール紙支持部１１４のもっとも上の部分、つまり傾斜の始まり部分１２３で左右のアーム１１５に形成されたロール紙支持部１１４の距離は、感熱ロール紙１０２の幅より多少大きくなっているが、前記ロール紙支持部の頂点１２４にいくに従って、小さくなっている。
【００６８】
つまりこの傾斜により、感熱ロール紙１０２を装着する際の最初に前記左右のアーム１１５に形成されたロール紙支持部１１４に接触する衝撃を無くし、アーム１１５のロール紙支持部１１４の上側につけられた傾斜をこすりながら、前記左右のアーム１１５を押し広げる構造である。
【００６９】
ここで、図５の片側のアーム１１５の斜視図とそのロール紙支持部１１４部分の三面図にて説明すると、この第１の傾斜５１０は、平面ではなく凹形状に湾曲している面である。
【００７０】
図５のロール紙支持部斜視図で説明する。
【００７１】
即ち、ロール紙支持部１１４は、感熱ロール紙１０２の軸線Ｌ方向の延びた断面円状の外周面５１２と、軸線Ｌ方向に直交する面に対して傾斜した上記第１の傾斜面５１０及び第２の傾斜面５１１を有する端面５１３とで形成されている。  
【００７２】
この第１の傾斜面５１０は、感熱ロール紙１０２を装着する際に、感熱ロール紙１０２が外周面５１２とで形成する稜線Ｌ１のみに接触しながら装着されるよう凹んで形成されている。本実施形態では、第１の傾斜面５１０は、円筒状の曲面を有するように凹んで形成されている。
【００７３】
また、第２の傾斜面５１１は、感熱ロール紙１０２を脱着する際に、感熱ロール紙１０２が外周面５１２とで形成する稜線Ｌ２のみに接触しながら脱着されるように形成されている。本実施形態では、円筒状の曲面を有するように形成されている。
【００７４】
また、図３に示すように、交換用扉１１１を開けたときに、第１の傾斜面５１０が上方側（紙面に対して上方）に位置すると共に、第２の傾斜面５１１が下方側（紙面に対して下方）に位置するように形成されている。      
【００７５】
第１の傾斜面５１０の湾曲は、感熱ロール紙１０２を交換用扉１１１の内側にあるホルダ１２１に装着する際、前記のように感熱ロール紙１０２と左右のアーム１１５に形成されたロール紙支持部１１４が接触しながら左右それぞれのアーム１１５を押し広げ、感熱ロール紙１０２の紙芯１１３の穴（軸孔１１３ａ）が、それぞれのアーム１１５のロール紙支持部１１４の位置にきた時点で、前記の穴（軸孔１１３ａ）にアーム１１５のロール紙支持部１１４が入り込む構造であるが、極力フラツキなく、感熱ロール紙１０２の紙芯１１３の穴をロール紙支持部１１４の位置にさそい込むために無線プリンタの前後方向のズレ防止のための形状となっている。
【００７６】
上述した感熱ロール紙１０２を装着する際、最初に感熱ロール紙１０２の外縁部（外周面と端面との境）が、第１の傾斜面５１０に接触する。この状態は、感熱ロール紙１０２の外縁部が、稜線Ｌ１に１点接触した状態である。そして、感熱ロール紙１０２を押し込むにしたがい、該感熱ロール紙１０２は、アーム１１５を押し広げると共に、外縁部が稜線Ｌ１のみに接触しながら（稜線Ｌ１をなぞるように）移動する。これにより、感熱ロール紙１０２は、ひっかかり等がなく、円滑に移動するので、微小な力で感熱ロール紙１０２を押し込むことができ、容易に装着を行うことができる。
【００７７】
更に、外縁部が稜線Ｌ１のみに接触しながら移動するので、１点接触が２点接触になると共に、２点接触間の距離がロール紙支持部１１４の直径に近づくように徐々に広がることになる。従って、感熱ロール紙１０２は、押し込まれるほど、安定して支持されると共に、ロール支持部１１４の求心作用により、軸孔１１３ａの中心がロール支持部１１４の中心に向かうことになる（センタリング効果）。従って、容易且つ確実にロール紙支持部１１４を軸孔１１３ａ内に挿入させることができる。  
【００７８】
更に、ロール紙支持部１１４が軸孔１１３ａ内に挿入された後、更に、感熱ロール紙１０２を押し込もうとした場合、第１の傾斜面５１０の稜線Ｌ１が、紙芯１１３の内周面に押し付けられた状態となる。ところがこの場合においては、第１の傾斜面５１０が凹んでいるので、稜線Ｌ１と内周面とのなす角度が鋭角な状態（エッジがたった状態）となり、
抵抗を受けて感熱ロール紙１０２は移動しにくくなる。つまり、感熱ロール紙１０２をさらに押し込んだとしても、容易にロール紙支持部１１４から外れないようになっている。
【００７９】
また、前記アーム１１５のロール紙支持部１１４の頂点から下側は、感熱ロール紙１０２を使い切った際に残る感熱ロール紙１０２の紙芯１１３をひっかかりなく、取り外すことができるよう、この部分にもロール紙支持部１１４の頂点より上側同様、上記第２の傾斜面５１１がついている。
【００８０】
しかしながら、第１の傾斜面５１０と異なるのは、第１の傾斜面５１０は凹形状（円筒状）に湾曲しているのに対し、第２の傾斜面５１１は凸形状（円筒状）に湾曲している。これは、つまり使い切った感熱ロール紙１０２の紙芯１１３を取り外す際は、装着時のように感熱ロール紙１０２が新品のときと異なり、外径が小さいため、操作的には上へ持ち上げて取り外す角度は、バラツキやすい。そのため少しでもスムーズに取り外すため感熱ロール紙１０２の紙芯１１３を持ち上げたとき、前記紙芯１１３の穴（軸孔１１３ａ）の内径が、アーム１１５に形成したロール紙支持部１１４に最初に接触する箇所を１点にすることにより、感熱ロール紙１０２の紙芯１１３を取り外す際のアーム１１５のロール紙支持部１１４との摩擦力を下げるためである。
【００８１】
そこで、感熱ロール紙１０２の紙芯１１３を取り外す際の挙動を説明する。感熱ロール紙１０２の紙芯１１３を取り外す場合、交換用扉１１１は約９０°開かれた状態であるためホルダ１２１内に残った前記感熱ロール紙１０２の紙芯１１３をつかみ上方向へ引っ張り取ろうとする。
【００８２】
そのとき、感熱ロール紙１０２の装着挙動を説明したのと同様、ひっかかることなく一度、左右のアーム１１５に形成されたロール紙支持部１１４の表面を滑らせながら押し広げることになる。
【００８３】
これは、まず前記感熱ロール紙の紙芯１１３を持ち上げると今まで感熱ロール紙１０２の紙芯１１３の自重で左右のアーム１１５のロール紙支持部１１４の上側の傾斜部と前記感熱ロール紙１０２の紙芯１１３の穴（軸孔１１３ａ）の内径の上部分での接触がなくなり、感熱ロール紙１０２の紙芯１１３の穴（軸孔１１３ａ）の内径とアーム１１５のロール紙支持部１１４のクリアランス分持ち上がり、次に感熱ロール紙１０２の紙芯１０３の穴（軸孔１１３ａ）の内径の下部分とアーム１１５のロール紙支持部１１４の頂点より下側が接触する。
【００８４】
そのまま持ち上げることにより管状に残った紙芯１０３の肉厚部分がその傾斜を滑りながら押し広げ、アーム１１５のロール紙支持部１１４の頂点を通過すると同時に元に戻る。
【００８５】
このように、感熱ロール紙１０２の脱着、つまり紙交換は、これまで説明したようにばね１１８により加圧された、左右のアーム１１５をドーナツ型した感熱ロール紙１０２の脱着により押し広げ、ばね１１８の力でアーム１１５に形成されたロール紙支持部１１４をドーナツ型した感熱ロール紙１０２の紙芯１１３の穴（軸孔１１３ａ）に入れることにより、無線プリンタ本体と別体の軸の必要がなく、感熱ロール紙１０２の回転軸を構成している。
【００８６】
そこで、このアーム１１５に形成されたロール紙支持部１１４の詳細を説明すると、感熱ロール紙１０２を交換する際、交換用扉１１１を９０°開いた状態では、無線プリンタとして前から見ると、おおよそ台形に似た形となっており、上下の動きとなる感熱ロール紙１０２の着脱によってスムーズに左右のアーム１１５を押し広げることに適した形状となっている。
【００８７】
また、前記、交換用扉１１１を９０°開いた状態で、上から見ると、長方形になっている。さらに、内側から見ると、丸形状となっている。これは、感熱ロール紙１０２の交換時は、交換用扉１１１は約９０°開いている状態で、前記説明のとおり、スムーズな感熱ロール紙１０２の着脱のために、上下方向については傾斜がついている。そのため、感熱ロール紙１０２の回転軸としては、アーム１１５のロール紙支持部１１４の斜面で感熱ロール紙の紙芯１１３の穴（軸孔１１３ａ）を支えているため、安定しているとはいえない。
【００８８】
しかしながら、実際に無線プリンタとして動作させる場合は、感熱ロール紙１０２を装着し、交換用扉１１１は、閉じられた状態（感熱ロール紙装着時より９０°回転した状態）で使用される。
【００８９】
つまり、アーム１１５のロール紙支持部１１４と感熱ロール紙の紙芯１１３の穴（軸孔１１３ａ）の内径の接触している部分が９０°回転した状態となるため、ロール紙支持部１１４の傾斜（第１の傾斜面５１０及び第２の傾斜面５１１）の部分でなく感熱ロール紙１０２の紙芯１１３と平行した面、即ち、外周面５１２で支えることとなり、安定した回転軸を構成できる。
【００９０】
また、本、無線プリンタは、前記のように、交換用扉１１１を９０°開いた状態で、感熱ロール紙１０２を装着し、無線プリンタとして動作させるためにその交換用扉１１１を閉じるわけだが、感熱ロール紙１０２の装着が正しくないまま印字するいわゆる誤動作を防止する構造となっている。
【００９１】
そのしくみを説明する。感熱ロール紙１０２の紙芯１１３の左右の穴（軸孔１１３ａ）にそれぞれ左右のアーム１１５のロール紙支持部１１４が入り込むことによって、前記感熱ロール紙１０２は、安定した回転を得ることは前記のとおりである。左右のアーム１１５は、それぞれ交換用扉１１１のフレーム１１７に回転可能に軸固定され、それぞれにばね１１８で加圧されている。
【００９２】
したがって、それぞれのアーム１１５は内側に常に押し付けられている。その位置は、感熱ロール紙１０２が装着されていない場合と正規どおりに装着されている場合が同じであり、ホルダ１２１の幅方向の外形とおなじか、それ以下になっている。
【００９３】
つまり、感熱ロール紙１０２を装着する際、感熱ロール紙１０２の外周がアーム１１５のロール紙支持部１１４に接触し左右のアーム１１５の押し広げがはじまる。さらに感熱ロール紙１０２を押し込むと徐々にロール紙支持部１１４の出っ張り分が押し広げられ、凸部分の頂点を最大とし、感熱ロール紙１０２の紙芯１１３の穴（軸孔１１３ａ）にロール紙支持部１１４が入り込むことにより、未装着の位置まで、左右のアーム１１５は戻る。
【００９４】
つまり、正規の位置（感熱ロール紙１０２の紙芯１１３の穴（軸孔１１３ａ）を左右のアーム１１５のロール紙支持部１１４が挟み込んだ位置）以外では、左右のアーム１１５は、押し広げられているため、ホルダ１２１の幅方向の両外形よりとびだしている。感熱ロール紙１０２を装着する際、交換用扉１１１は約９０度開いた状態であるのに対し、印字は、前記交換用扉１１１を閉じなければならない。
【００９５】
交換用扉１１１を徐々に閉じていくと交換用扉１１１に有したホルダ１２１の両外側の寸法の方が無線プリンタ本体（筐体５００）側のホルダ収納部分１２５の内側寸法より小さいため、問題なく収納されるが、前記交換用扉１１１に有したホルダ１２１の両外側より左右のアーム１１５が外側へ飛び出していると無線プリンタ本体側のホルダ収納部１２５の内側寸法より大きくなり、無線プリンタ本体（筐体５００）側のホルダ収納部１２５の入り口のストッパ１２６に左右のアーム１１５の端面であるアームのストッパ１２７がぶつかり、それ以上閉じない構造となっている。
【００９６】
これにより、感熱ロール紙１０２の装着が不十分であることを検出するばかりでなく、不十分なまま、印字することも完全に防ぐことができる。
【００９７】
また、感熱ロール紙１０２の紙芯１１３からアームのロール紙支持部１１４が外れるためには、ホルダ１２１の外幅より飛び出さなければならないが、交換用扉１１１閉時は無線プリンタ本体側のホルダ収納部１２５に入っているため、多少は広がることは可能であるが、完全に感熱ロール紙１０２の紙芯１１３からアーム１１５のロール紙支持部１１４が外れるだけの飛び出しは、不可能な構造となっている。
【００９８】
従って、一度感熱ロール紙１０２が正規に装着されると、交換用扉１１１を再度開けないかぎり、外れることはない。また、プリンタ本体側に固定されたプリンタモジュール１０３の印字ヘッドの幅方向の中心に交換用扉１１１を閉じた際、装着した感熱ロール紙１０２の幅方向の中心がほぼ一致するためのリブ１２８をプリンタ本体側のホルダ収納部１２５の上部に設けた。
【００９９】
これは、規格化した感熱ロール紙１０２でも公差内のバラツキがあり、それを装着する部分であるホルダ１２１の内側寸法も前記規格化された公差の上限値とさらにクリアランスを考慮するとある程度大きめの寸法にする必要がある。
【０１００】
そのため、どうしても感熱ロール紙１０２をホルダ１２１に装着した際、左右のアーム１１５のロール紙支持部１１４で作り出した軸に対し、スラスト方向のクリアランスが生じる。
【０１０１】
つまり、感熱ロール紙１０２装着時点では左右への偏りが発生している。これを、交換用扉１１１を閉じることでプリンタ本体側のホルダ収納部１２５の上部に設けた２本のリブ１２８で中心に寄せていく。この２本のリブ１２８は、その内側寸法がプリンタ本体からみて前側は、交換用扉１１１に有したホルダ１２１の内側寸法より大きく、後ろ側つまり奥へいくと感熱ロール紙１０２の幅寸法とほぼ同じになっており、交換用扉１１１のホルダ１２１に装着された感熱ロール紙１０２を徐々に閉じていくに従って、感熱ロール紙１０２に対し左右からリブ１２８が迫ってきて偏っていた感熱ロール紙１０２が中心に寄せられていき、印字ヘッドとのセンタリングができていく構造になっている。
【０１０２】
なお、本発明の技術範囲は上記実施の形態に限定されるものではなく、本発明の趣旨を逸脱しない範囲において種々の変更を加えることが可能である。
【０１０３】
なお、交換用扉１１１に設けた上記シャフト１１６、アーム１１５、ばね１１８構造等は図示した構造物に限定されるものではなく、本発明の主旨に基づくすべての構造物も含まれるものであることは言うまでもない。また、プリンタモジュールとして感熱用紙に印字を行うサーマルプリンタを例として説明したが、例えば、インクをノズルから噴射して印字を行うインクジェット方式の印字ヘッドを用いて、ロール状の記録用紙を保持し収納するようなレストランプリンタにも、本発明は適用可能である。また、本発明のプリンタは、レストラン以外の他のシステムにおいても有用である。
【０１０４】
また、本発明のロール紙収納容器をプリンタに採用した例を説明したが、プリンタに限られるものではない。例えば、トイレットペーパ（ロール紙）を収納する容器に採用しても構わないし、台所等で使用するキッチンペーパ（ロール紙）を収納する容器等に採用しても構わない。これら場合においては、ロール支持部により、各種ロール紙の交換等をワンタッチで容易に行うことができる。
【０１０５】
また、上記実施形態においては、アームとバネとで付勢手段を構成したが、これに限られることはなく、ロール紙支持部を一対の板状部材の内側に付勢できる構成であれば構わない。例えば、ロール支持部を単に、一対の板状部材に取り付けたバネ等で付勢しても構わないし、また、アームに替えて板バネを利用しても構わない。            
【０１０６】
また、上記実施形態においては、ロール紙支持部の第１の傾斜面及び第２の傾斜面を、円筒状の曲面を有するように形成したが、円筒状に限られるものではない。
【図面の簡単な説明】
【０１０７】
【図１】本発明に係るレストランプリンタを含む注文データ管理装置の全体構成図である。
【図２】本発明に係るレストランプリンタの一例を示す横側断面図である。
【図３】図２に示すレストランプリンタの斜視図である。
【図４】図２に示すレストランプリンタを前面から見た状態であって、感熱ロール紙を装着する前の状態を示す図である。
【図５】図２に示すレストランプリンタが有するロール紙収納容器のロール紙支持部を示す図であって、（ａ）はアームに取り付けられた状態での斜視図であり、（ｂ）はロール紙支持部の正面図を示し、（ｃ）は（ｂ）に示す状態の側面面であり、（ｄ）は（ｂ）の断面矢視Ｅ−Ｅ図であり、（ｅ）はロール紙支持部の斜視図である。
【図６】従来のレストランプリンタの一例を示す断面図である。
【図７】従来のレストランプリンタを含む注文データ管理装置の全体構成図である。
【符号の説明】
【０１０８】
Ｌ  軸線
Ｌ１、Ｌ２  稜線  
１０１  レストランプリンタ（プリンタ）
１０２  感熱ロール紙（ロール紙）
１０３  プリンタモジュール
１０４  オートカッタ
１０５  伝票排出口
１０６  サーマルヘッド
１０７  プラテンローラ
１０８  可動刃
１０９  固定刃
１１０  印字された感熱ロール紙
１１１  交換用扉（扉）
１１１ａ  交換用扉の内側面
１１２  ヒンジ
１１３  紙芯
１１３ａ  軸孔  
１１４  ロール紙支持部
１１５  アーム（アーム部）
１１６  シャフト
１１７  フレーム
１１８  ばね
１１９  アンテナ
１２０  制御基板
１２１  ホルダ（板状部材）
１２２  上方向
１２３  傾斜の始まり部分
１２４  ロール紙支持部の頂点
１２５  本体側ホルダ収納部
１２６  本体側ホルダ収納部ストッパ
１２７  アームのストッパ
１２８  リブ
５００  筐体
５０１  ロール紙収納容器
５０２  付勢手段
５１０  第１の傾斜面
５１１  第２の傾斜面
５１２  外周面
５１３  端面
【図１】
2005096433.tif 000003
【図２】
2005096433.tif 000004
【図３】
2005096433.tif 000005
【図４】
2005096433.tif 000006
【図５】
2005096433.tif 000007
【図６】
2005096433.tif 000008
【図７】
2005096433.tif 000009